【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
アクセスネットワークとアクセス端末とを含んでいる電気通信システムで制御チャンネル情報を送信する方法において、
第１の時間期間中に前記アクセス端末へパケットを送信し、前記パケットは前記アクセス端末に関連するユニキャスト情報を含んでおり、
第２の時間期間中にオーバーヘッドパラメータのセットを送信し、前記オーバーヘッドパラメータは前記アクセスネットワークに関連するシステム構成情報を含んでいる送信方法。
【請求項２】
さらに、前記オーバーヘッドパラメータのセットにリンクされている署名を前記第１の時間期間中に送信することを含んでいる請求項１記載の方法。
【請求項３】
通信システムで制御チャンネル情報を送信する装置において、
パケットを第１の時間期間中にアクセス端末へ送信するように構成されているアクセスネットワークを具備し、前記パケットは前記アクセス端末に関連するユニキャスト情報を含んでおり、前記アクセスネットワークはさらに、オーバーヘッドパラメータのセットを第２の時間期間中に送信するように構成されており、前記オーバーヘッドパラメータは前記アクセスネットワークに関連するシステム構成情報を含んでいる装置。
【請求項４】
前記アクセスネットワークはさらに前記オーバーヘッドパラメータのセットにリンクされている署名を前記第１の時間期間中に送信するように構成されている請求項３記載の装置。
【請求項５】
アクセスネットワークとアクセス端末とを含んでいる電気通信システムで制御チャンネルを監視する方法において、
第１の時間期間中に前記アクセス端末へ導かれるパケットを受信し、
前記第１の時間期間中にメッセージを受信し、
前記受信された署名に少なくとも部分的に基づいて、第２の時間期間中にオーバーヘッドパラメータのセットを受信するために前記制御チャンネルを監視するか否かの決定を行うステップを含んでいる方法。
【請求項６】
前記署名は前記オーバーヘッドパラメータのセットにリンクされている請求項５記載の方法。
【請求項７】
さらに、前記決定においては、前記オーバーヘッドパラメータのセットが最新のものであることを前記署名が示した場合には、前記第１の時間期間中にのみ制御チャンネルを監視することを含んでいる請求項６記載の方法。
【請求項８】
さらに、前記署名が前記オーバーヘッドパラメータのセットが最新であることを示した場合には第１の時間期間の最後において休眠モードに入ることを含んでいる請求項７記載の方法。
【請求項９】
前記決定においてはさらに、前記オーバーヘッドパラメータのセットが最新のものではないことを前記署名が示す場合には、前記第２の時間期間中に前記オーバーヘッドパラメータのセットを受信するために前記制御チャンネルを監視する請求項７記載の方法。
【請求項１０】
電気通信システムで制御チャンネルを監視するアクセス端末において、
第１の時間期間中に前記アクセス端末へ導かれるパケットを受信する手段と、
前記第１の時間期間中に署名を受信する手段と、
前記受信された署名に少なくとも部分的に基づいて、第２の時間期間中にオーバーヘッドパラメータのセットを受信するために前記制御チャンネルを監視するか否かを決定する手段とを具備しているアクセス端末。
【請求項１１】
前記署名は前記オーバーヘッドパラメータのセットにリンクされている請求項１０記載のアクセス端末。
【請求項１２】
前記決定手段はさらに、
前記オーバーヘッドパラメータのセットが最新のものであることを前記署名が示した場合には、前記第１の時間期間中にのみ前記制御チャンネルを監視する手段を備えている請求項１１記載のアクセス端末。
【請求項１３】
さらに、前記署名が前記オーバーヘッドパラメータのセットが最新のものであることを示した場合には前記第１の時間期間の最後において休眠モードに入る手段を備えている請求項１２記載のアクセス端末。
【請求項１４】
前記決定手段はさらに、
前記オーバーヘッドパラメータのセットが最新のものではないことを前記署名が示した場合には、前記第２の時間期間中に前記オーバーヘッドパラメータのセットを受信するために前記制御チャンネルを監視する手段を備えている請求項１２記載のアクセス端末。
【請求項１５】
電気通信システムで制御チャンネルを監視する方法を実施するコンピュータの読取り可能な媒体において、前記監視する方法は、
第１の時間期間中にアクセス端末へ導かれるパケットを受信し、
前記第１の時間期間中に署名を受信し、
前記受信された署名に少なくとも部分的に基づいて、第２の時間期間中にオーバーヘッドパラメータのセットを受信するために前記制御チャンネルを監視するか否かを決定するステップを含んでいるコンピュータの読取り可能な媒体。
【請求項１６】
前記署名は前記オーバーヘッドパラメータのセットにリンクされている請求項１５記載のコンピュータの読取り可能な媒体。
【請求項１７】
前記決定においてはさらに、
前記オーバーヘッドパラメータのセットが最新のものであることを前記署名が示した場合には、前記第１の時間期間中にのみ前記制御チャンネルを監視する請求項１６記載のコンピュータの読取り可能な媒体。
【請求項１８】
前記方法はさらに、
前記オーバーヘッドパラメータのセットが最新のものであることを前記署名が示した場合には、前記第１の時間期間の最後において休眠モードに入ることを含んでいる請求項１７記載のコンピュータの読取り可能な媒体。
【請求項１９】
前記決定においてはさらに、
前記オーバーヘッドパラメータのセットが最新のものではないことを前記署名が示した場合には、第２の時間期間中に前記オーバーヘッドパラメータのセットを受信するように前記制御チャンネルを監視することを含んでいる請求項１６記載のコンピュータの読取り可能な媒体。
【請求項２０】
電気通信システムで制御チャンネル情報を送信するアクセスネットワークにおいて、
第１の時間期間中にアクセス端末へパケットを送信する手段を具備し、前記パケットは前記アクセス端末に関連するユニキャスト情報を含んでおり、さらに、
第２の時間期間中にオーバーヘッドパラメータのセットを送信する手段とを具備しており、前記オーバーヘッドパラメータは前記アクセスネットワークに関連するシステム構成情報を含んでいるアクセスネットワーク。
【請求項２１】
さらに、前記第１の時間期間中に署名を送信する手段を具備し、前記署名は前記オーバーヘッドパラメータのセットにリンクされている請求項２０記載のアクセスネットワーク。
【請求項２２】
電気通信システムで制御チャンネル情報を送信する方法を実施するコンピュータの読取り可能な媒体において、前記送信方法は、
第１の時間期間中にアクセス端末へパケットを送信し、前記パケットは前記アクセス端末に関連するユニキャスト情報を含んでおり、さらに、
第２の時間期間中にオーバーヘッドパラメータのセットを送信するステップを含んでおり、前記オーバーヘッドパラメータはアクセスネットワークに関連するシステム構成情報を含んでいるコンピュータの読取り可能な媒体。
【請求項２３】
前記方法はさらに前記第１の時間期間中に署名を送信するステップを含んでおり、前記署名は前記オーバーヘッドパラメータのセットにリンクされている請求項２２記載のコンピュータの読取り可能な媒体。
【請求項２４】
電気通信システムで制御チャンネルを監視するアクセス端末において、
受信装置と、
前記受信された署名に少なくとも部分的に基づいて第２の時間期間中にオーバーヘッドパラメータのセットを受信するか否かを前記受信装置に命令するように構成されている制御装置とを具備し、前記受信装置は、
第１の時間期間中のパケットと、
前記第１の時間期間中の署名とを受信するように構成されているアクセス端末。
【請求項２５】
電気通信システムで制御チャンネル情報を送信するアクセスネットワークにおいて、
第１の時間期間中に前記アクセス端末へのパケットを送信するように構成されている送信装置と、
第２の期間中にオーバーヘッドパラメータのセットを送信するように前記送信装置に命令するように構成されている制御装置とを具備し、
前記パケットは前記アクセス端末に関連するユニキャスト情報を含んでおり、
前記オーバーヘッドパラメータは前記アクセスネットワークに関連するシステム構成情報を含んでいるアクセスネットワーク。
【請求項２６】
前記送信装置はさらに、前記第１の時間期間中に署名を送信するように構成され、前記署名は前記オーバーヘッドパラメータのセットにリンクされている請求項２５記載のアクセスネットワーク。
【請求項２７】
前記署名は前記オーバーヘッドパラメータにリンクされている請求項２４記載のアクセス端末。
【手続補正２】
【補正対象書類名】明細書
【補正対象項目名】０００６
【補正方法】変更
【補正の内容】
【０００６】
基地局は割当て制御タイムスロット中へ制御チャンネル情報を挿入し、これは移動局が監視することを知っている。移動局はスロットを有しないモードまたはスロットモードで順方向リンクを監視する。スロットを有しないモードでは、移動局は順方向リンクを連続的に監視する。スロットモードでは移動局は割当てられた制御チャンネルサイクル中のみ制御チャンネルを監視する。後者の場合、移動局は全てのスロットをいつも監視する必要はないので、スロットモードで動作する移動局は多少は電池のパワーを節約する。スロットモードの制御チャンネルは米国特許第5,509,015 号明細書（発明の名称“METHOD AND APPARATUS FOR SCHEDULING COMMUNICATION BETWEEN TRANSCEIVERS”）と米国特許第6,421,540号明細書（発明の名称“A METHOD AND APPARATUS FOR MAXIMIZING STANDBY TIME USING A QUICK PAGING CHANNEL ”）にさらに詳細に記載されており、この両者は本発明の出願人に譲渡され、ここで参考文献とされている。
【手続補正３】
【補正対象書類名】明細書
【補正対象項目名】００３３
【補正方法】変更
【補正の内容】
【００３３】
エアリンク管理プロトコル404 ：このプロトコルはアクセス端末とアクセスネットワークの全体的な接続状態を維持する。このプロトコルはアクセス端末がネットワークを既に獲得しているか（初期状態）、ネットワークを獲得しているが接続が閉じているか（アイドル状態）またはアクセスネットワークと開接続しているか（接続状態）に対応して３つの状態の１つである。このプロトコルは現在の状態の機能として以下のプロトコルの１つを付勢する。
【手続補正４】
【補正対象書類名】明細書
【補正対象項目名】００３９
【補正方法】変更
【補正の内容】
【００３９】
エアリンク管理プロトコル404と、その子孫、およびオーバーヘッドメッセージプロトコル414は制御プロトコルである。パケット合併プロトコル406は送信され受信されたデータについて動作する。
【手続補正５】
【補正対象書類名】明細書
【補正対象項目名】００７７
【補正方法】変更
【補正の内容】
【００７７】
図１２は本発明の１実施形態にしたがった制御チャンネルの周期的な監視方式1200を示している。アクセス端末は監視サイクルで制御チャンネルを周期的に監視し、これは１以上のＣＣＣインターバル1202と1204を含んでいる。本発明の１実施形態では、監視サイクルは１２のＣＣＣまたは５．１２秒を含んでいる。ＳＣ1206、1208が送信される期間の時間インターバルは第１の時間期間と第２の時間期間とを含んでいる。第１の時間期間中の休眠状態同期的カプセル（ＳＳＳＣ）1210、1212では、アクセスネットワークはＱＣＭ1214と１以上のＡＴに導かれるパケット1216を送信する。ＡＴに導かれるパケット1216はアクセス端末へ導かれるユニキャストメッセージおよびパラメータを含んでいる。アクセスネットワークは第２の時間インターバル中に、ＳＣ1206、1208に含まれているオーバーヘッドパラメータのセットもまた送信する。アクセスネットワークは例えばオーバーヘッド署名等の証印を両者に含めることによって同一のＳＣで送信されるオーバーヘッドパラメータの比較セットへＱＣＭをユニークにリンクする。
【手続補正６】
【補正対象書類名】明細書
【補正対象項目名】００７９
【補正方法】変更
【補正の内容】
【００７９】
ステップ1302（図１３）で、制御チャンネルの初期ＳＣ1206を監視するとき、アクセス端末はステップ1304で初期ＳＳＳＣ1210中にＱＣＭ1214を受信する。ステップ1306で、アクセス端末は受信されたＱＣＭ1214から初期オーバーヘッド署名（ＯＳ）を決定する。ステップ1308で、アクセス端末は初期オーバーヘッド署名（ＯＳ）を記憶する。アクセス端末はまた同一の初期ＳＳＳＣ1210中にＡＴに導かれるパケット1216を受信する。続いてステップ1310で、アクセス端末は同一の初期ＳＣ1206に含まれるオーバーヘッドパラメータの初期セットを受信し記憶し、これは第２の時間インターバル中に送信される、その後、アクセス端末は休眠モードになるか、或いは残りの初期ＣＣＣ時間期間1202で初期ＳＣ1206の最後に待機モードに入る。
【手続補正７】
【補正対象書類名】明細書
【補正対象項目名】００８０
【補正方法】変更
【補正の内容】
【００８０】
アクセス端末はその後のＳＣ1208を監視するために後続するＣＣＣ1204の開始でウェークアップする。そうすることで、アクセス端末はステップ1312でＳＳＳＣ1212を監視し、ステップ1314で新しいＱＣＭを受信し、ステップ1316でそこからオーバーヘッド署名を決定する、アクセス端末が最新のオーバーヘッドパラメータを含んでいるか否かを決定し、したがってＳＣ期間全体の制御チャンネルの監視を避けるために、アクセス端末はステップ1318で以前に保存されたオーバーヘッド署名を現在受信したオーバーヘッド署名と比較する。これらのオーバーヘッド署名が一致したならば、アクセス端末はオーバーヘッドパラメータの最新のセットを含んでおり、したがってアクセス端末はステップ1320でさらに制御チャンネルを監視するのを停止する。この場合、アクセス端末は休眠モードになるか待機モードに入る。本発明の１実施形態によれば、アクセス端末は現在のＳＳＳＣ1212の最後に休眠状態になる。アクセス端末は次の監視サイクルまで、即ちステップ1312で次のＳＣを監視するためにステップ1324でアクセス端末がウェークアップするときまでステップ1322で休眠モードである。
【手続補正８】
【補正対象書類名】図面
【補正対象項目名】図４
【補正方法】変更
【補正の内容】
【図４】
2004530347.tif 000001
【手続補正９】
【補正対象書類名】図面
【補正対象項目名】図５
【補正方法】変更
【補正の内容】
【図５】
2004530347.tif 000002
【手続補正１０】
【補正対象書類名】図面
【補正対象項目名】図６
【補正方法】変更
【補正の内容】
【図６】
2004530347.tif 000003